(57)【特許請求の範囲】
【請求項１】
テレビ電話機能とＷＷＷブラウザ機能を有する通信端末装置において、通話相手先電話番号とＨＴＭＬファイルを対応づけるテーブルを記憶する手段と、テレビ電話着信時に通話相手先電話番号を取得する手段と、上記通話相手先電話番号によって上記テーブルを参照し、通話相手先電話番号に対応したＨＴＭＬファイルをテレビ電話の通話中に背景画像として表示する表示手段を有する通信端末装置。
【請求項２】
テレビ電話機能とＷＷＷブラウザ機能を有する通信端末装置において、通話相手先電話番号とＨＴＭＬファイルを対応づけるテーブルを記憶する手段と、テレビ電話発信時に発信を行った相手先電話番号によって上記テーブルを参照し、通話相手先電話番号に対応したＨＴＭＬファイルをテレビ電話の通話中に背景画像として表示する表示手段を有する通信端末装置。
【発明の詳細な説明】
【０００１】
【発明の属する技術分野】
この発明は、テレビ電話機能または電話機能またはＷｏｒｌｄ  Ｗｉｄｅ  Ｗｅｂ（以後ＷＷＷと記す）ブラウザ機能を持つ、テレビ電話装置または映像情報装置に係わるものである。
【０００２】
【従来の技術】
現在、ＷＷＷブラウザ機能を有する映像情報装置として最も普及している装置は、パーソナルコンピュータである。また、通常のテレビにＷＷＷブラウザ機能を付与された製品等も発売されている。しかしながら、これらの装置におけるＷＷＷブラウザは、主に外部のホームページを閲覧するために使用されている。ＷＷＷブラウザにより表示されるファイルは一般に、ＨｙｐｅｒＴｅｘｔ  Ｍａｒｋｕｐ  Ｌａｎｇｕａｇｅ（以後ＨＴＭＬと記す）と呼ばれる比較的単純な言語で記述されている。このＨＴＭＬにより記述されたファイルを以後ＨＴＭＬファイルと記する。
【０００３】
また、ＨＴＭＬファイルの特徴として、ＨＴＭＬファイル内に別のＨＴＭＬファイルに対してリンクを設定することができることが挙げられる。ここでいうリンクとは、他のファイルとの関連づけを意味する。一般的なＷＷＷブラウザの場合、例えば、画面に表示されたＨＴＭＬファイルのリンク部をユーザが選択確定すると、別のＨＴＭＬファイルが読込まれ画面に表示される。これは、元のＨＴＭＬファイルのリンク部に次の移行先のファイル名を指定した記述があるために実現される機能である。これがＷＷＷブラウザにおいて最も重要な機能であるが、リンク先は一般に一意的に決まり、この関連づけを変更するためにはＨＴＭＬファイル自体のリンク先ファイル名の記述を変更する必要がある。
【０００４】
ＷＷＷブラウザ機能とテレビ電話機能を合わせ持つ従来装置としては、特願平９−２８０５０７号として、我々が先に出願したものがある。特願平９−２８０５０７号では、ＷＷＷブラウザの画面表示機能を利用して、テレビ電話装置の操作用画面を構成する発明が示されている。
【０００５】
図１４は特願平９−２８０５０７号の従来のテレビ電話装置の概略構成図である。このテレビ電話装置は、インターフェース部４０１と処理部４０２よりなる。インターフェース部４０１は、外部との接続を行う回線Ｉ／Ｆ部４０３、リモコン等からのユーザ入力を受けるユーザ入力処理部４０４、カメラ及びマイクからの入力を受け、かつ、テレビ及びスピーカに対して出力を行う映像／音声入出力部４０５、ローカルファイルの読み書きを行うローカルファイルＩ／Ｆ部４０６よりなる。ここでいうローカルファイルとは、この装置内に存在するファイルを意味する。
【０００６】
また、処理部４０２は、テレビ電話部４０７、ＷＷＷブラウザ部４０８、システム処理部４０９よりなる。テレビ電話部４０７は、テレビ電話接続処理部４１０と映像／音声ＣＯＤＥＣ部４１２とそれを制御するＣＯＤＥＣ制御部４１１よりなる。
【０００７】
ＷＷＷブラウザ部４０８は、ＨＴＭＬで記述されたファイルの内容を解釈するＨＴＭＬ解釈部４１３、ＧＩＦ形式・ＪＰＥＧ形式等の画像ファイルの処理を行う画像ファイル処理部４１４、画面表示の処理を行う画面表示処理部４２７、ＨＴＴＰプロトコル処理部４２８、及びファイル処理部４１５を有する。更にファイル処理部４１５は、リンク先ファイル名取得部４１６、ファイル読込み部４１７、拡張子判別部４２４、及びプロトコル判別部４３１を有する。
【０００８】
ここでのリンク先ファイル名とは、Ｕｎｉｆｏｒｍ  Ｒｅｓｏｕｒｃｅ  Ｌｏｃａｔｏｒ（以後ＵＲＬと記す）を意味し、“ｈｔｔｐ：／／”や“ｆｉｌｅ：／／”等の通信プロトコルを特定する部分、及び、ホスト名及びドメイン名の部分、更にディレクトリを示す部分も含むものである。
【０００９】
システム制御部４０９は、テレビ電話部４０７を制御するテレビ電話制御部４１８とＷＷＷブラウザ部４０８を制御するＷＷＷブラウザ制御部４１９、画面表示制御部４３０、ＰＰＰ接続及びＴＣＰ／ＩＰプロトコルの制御を行う通信制御部４２９、リンク先ファイル名処理部４２０、ＨＴＭＬファイル作成部４２１、テレビ電話接続情報ファイル解析部４２２、電話番号ファイル名変換部４２３を有する。リンク先ファイル名処理部４２０では、ＷＷＷブラウザ部４０８のリンク先ファイル名取得部４１６で得られたリンク先ファイル名の評価及びそれに伴なう処理を行う。また、電話番号ファイル名変換部４２３では、電話番号を加工して所定のルールに基づき、解読可能な状態でファイル名の形に変換する処理を行う。
【００１０】
また、リンク先ファイル名処理部４２０は、ファイル名解釈部４２５とファイル名電話番号変換部４２６を有する。ファイル名電話番号変換部４２６では、電話番号ファイル名変換部４２３と逆の処理を行う。
【００１１】
次に、図１５に基づいて、特願平９−２８０５０７号のテレビ電話装置におけるリンク先ファイル名の処理の流れを説明する。ユーザが画面に表示されたＨＴＭＬファイルのリンク部をクリックした場合、ステップＳ３０１において、リンク先ファイル名取得部４１６によりリンク先ファイル名が取得される。次にステップＳ３１３により、ｆｉｌｅプロトコルかどうか、すなわち、リンク先ファイルがローカルファイルか否かが判定される。具体的には、リンク先ファイル名の先頭部が“ｆｉｌｅ：／／”であるかどうかが評価される。この処理はプロトコル判別部４３１により行われる。ここで、ローカルファイルであると判定された場合はステップＳ３０２に進む。ステップＳ３０２ではリンク先ファイルの拡張子が評価される。この処理は拡張子判別部４２４により行われる。
【００１２】
ステップＳ３０２において、リンク先ファイル名の拡張子が処理方法指示用であると判断された場合はステップＳ３０４に進む。ここでは、拡張子が“ｍｅｌ”の場合のみ、処理方法指示用ファイル名であるとして処理される。
【００１３】
ステップＳ３０４においてリンク先ファイル名がテレビ電話番号用ファイル名か否かが判定される。ファイル名がテレビ電話番号用ファイル名の場合はステップＳ３０６に進み、そうでない場合はステップＳ３０５に進む。ここではリンク先ファイル名の内、ディレクトリ名部が“／ｔｖｔｅｌ／ｃａｌｌ／”の場合、電話番号用ファイル名であるとして処理する。このステップＳ３０４とステップＳ３０５における処理はファイル名解釈部４２５により実行される。
【００１４】
ステップＳ３０６に進んだ場合、リンク先ファイル名を加工して接続先電話番号に変換する処理が行われる。
【００１５】
更に、ここで取得した電話番号の情報をもとにして、ステップＳ３０９で実際にテレビ電話接続処理が行われる。この処理はテレビ電話接続処理部４１０により実行される。
【００１６】
以上の通り、特願平９−２８０５０７号におけるテレビ電話装置では、ＷＷＷブラウザの表示画面を利用して、テレビ電話を発信操作することが可能であるが、テレビ電話を発信した場合、その発信相手に応じてＷＷＷブラウザによる表示画面を替えるための仕組みがないため、テレビ電話発信時にＷＷＷブラウザによる画面表示がテレビ電話通話相手とは直接関係ないものになる。同様に、テレビ電話着信時においても、そのテレビ電話通話相手に応じてＷＷＷブラウザによる表示画面を変更する仕組みがないため、ＷＷＷブラウザで任意の画面を表示した状態でテレビ電話を着信した場合、ＷＷＷブラウザの表示画面はそのままで、その画面の一部にテレビ電話の映像が表示されてしまい、結果としてＷＷＷブラウザによる表示画面とテレビ電話映像とが関係のないものとなる。また、そもそも従来のテレビ電話装置では、テレビ電話通話相手の電話番号に対して特定のＨＴＭＬファイルを対応づける手段がない。
【００１７】
また、図１６は従来の発明である特願平９−２８０５０７号に示したテレビ電話装置の画面表示の例である。画面の上部は状態表示領域４５１であり、その他画面の大半部分を占めるのは主表示領域４５２である。主表示領域４５２の画面内容はＨＴＭＬにより記述されており、ＷＷＷブラウザ機能を用いることによって画面に表示されている。この画面例には明示的に示されていないが、一般に画面内に複数箇所有するリンク部を利用者が選択確定した場合、画面はそのリンク先ファイルの表示に変化する。更に、この移行先の画面内の別のリンク部を利用者が選択確定すると、更に別の画面へと移行する。一般にＷＷＷブラウザにおいては、このようにリンクを利用した画面遷移を頻繁に行う。
【００１８】
また、図１６において、右下の斜線領域がテレビ電話映像表示領域４５８である。このテレビ電話映像表示領域４５８はＷＷＷブラウザの画面表示領域である主表示領域４５２の一部に上書きされる形で確保される。すなわち、テレビ電話映像表示領域４５８と重なる部分のＷＷＷブラウザの表示画面は利用者には全く見えない状態となる。予めこのテレビ電話映像表示領域４５８を考慮してＨＴＭＬファイルを作成することにより、重要な表示内容が利用者に見えないという状況は回避可能であるが、複数のＨＴＭＬファイルに関して、常に同一の位置及びサイズのテレビ電話映像表示用領域を確保することは、ＨＴＭＬファイルによって構成されるコンテンツの制作においてはレイアウトに関する自由度を大幅に低下させることになる。すなわち、ある画面においてはテレビ電話映像を大きく、例えば右上に表示し、また別の画面では小さいサイズで画面の左下に配置する等の工夫を凝らす機会を失う。
【００１９】
また、従来のテレビ電話装置では、利用者がＷＷＷブラウザによりＷＷＷサーバ上のコンテンツを閲覧しようとした場合に初めてインターネットサービスプロバイダを介してインターネット接続されると考えられる。このような利用の形態をとる理由は、インターネットサービスプロバイダとの間の電話回線料及びインターネットサービスプロバイダのサービス料等が有料であるためである。因って、この装置の場合、テレビ電話装置は常時インターネット接続されているわけではなく、利用者がＷＷＷサーバ上のコンテンツを閲覧している時のみインターネット接続される。
【００２０】
一方、インターネット接続された装置間では、ＴＣＰ／ＩＰによるパケット通信等の種々の通信手段により通信を行うことが可能である。ここでは、以後、これらのインターネット上の通信を総称してインターネット通信と記す。しかしながら、従来の装置では常時インターネット接続されているわけではないため、インターネット上の他の装置から本装置に対して、ＴＣＰ／ＩＰによるパケット通信等を行おうとした場合、通信が可能か否かは装置がインターネット接続された状態にあるかどうかによって決まるため、実質的には任意のタイミングで本装置とＴＣＰ／ＩＰによるパケット通信等を行うことは運用上不可能である。
【００２１】
【発明が解決しようとする課題】
上記のような、従来のテレビ電話装置及び映像情報装置では、テレビ電話の通話相手に応じたＷＷＷブラウザの表示が得られないという問題があった。
【００２２】
第２に、ＷＷＷブラウザの表示画面に合わせてテレビ電話映像の表示位置及びサイズを変化させられないという問題があった。
【００２３】
第３に、ＨＴＭＬファイルのリンク関係が一意的であり、このリンク関係を変更するためには、ＨＴＭＬファイル自体を変更する必要があるという問題があった。
【００２４】
第４に、外部の装置からインターネットを通して、任意のタイミングでインターネット通信を行えないという問題があった。
【００２５】
この発明は以上のような課題を解決するためになされたもので、第１の目的は、テレビ電話通話中にテレビ電話通話相手に応じて、その場面で有効なＷＷＷブラウザによる表示画像が表示されるテレビ電話装置及び映像情報装置を得るものである。
【００２６】
また、第２の目的は、ＷＷＷブラウザの画面表示更新に同期してテレビ電話映像の表示サイズ及び位置を変更し得るテレビ電話装置及び映像情報装置を得るものである。
【００２７】
また、第３の目的は、ＨＴＭＬファイルを直接変更することなく、ファイル間のリンク関係が変更可能なテレビ電話装置及び映像情報装置を得るものである。
【００２８】
また、第４の目的は、ファイル間のリンク関係を更新することが可能なテレビ電話装置及び映像情報装置を得るものである。
【００２９】
また、第５の目的は、マルチバイトエクステンションの任意メッセージコマンドを利用して、所定の装置に対するインターネット接続の要求を受けることが可能なテレビ電話装置及び映像情報装置を得るものである。
【００３０】
また、第６の目的は、マルチバイトエクステンションの任意メッセージコマンドをもとに、インターネット接続する対象の装置のＩＰアドレスを確定することが可能なテレビ電話装置及び映像情報装置を得るものである。
【００３１】
また、第７の目的は、電話もしくはテレビ電話着信時に回線より通知される相手先電話番号をもとに、所定の装置にインターネット接続することが可能なテレビ電話装置及び映像情報装置を得るものである。
【００３２】
また、第８の目的は、電話もしくはテレビ電話着信時に回線より通知される相手先電話番号とサブアドレスをもとに、所定の装置にインターネット接続することが可能なテレビ電話装置及び映像情報装置を得るものである。
【００３３】
【課題を解決するための手段】
この発明に係わる通信端末装置においては、通話相手先電話番号とＨＴＭＬファイルを対応づけるテーブルを記憶する手段と、テレビ電話着信時に通話相手先電話番号を取得する手段と、上記通話相手先電話番号によって上記テーブルを参照し、通話相手先電話番号に対応したＨＴＭＬファイルをテレビ電話の通話中に背景画像として表示する表示手段を備えたものである。
【００３４】
また、通話相手先電話番号とＨＴＭＬファイルを対応づけるテーブルを記憶する手段と、テレビ電話発信時に発信を行った相手先電話番号によって上記テーブルを参照し、通話相手先電話番号に対応したＨＴＭＬファイルをテレビ電話の通話中に背景画像として表示する表示手段を備えたものである。
【００４２】
【発明の実施の形態】
以下、この発明を実施の形態を示す図面に基づいて具体的に説明する。
実施の形態１．
図１はこの発明の実施の形態１であるテレビ電話装置の構成図である。図１において、５１は電話番号／ＨＴＭＬファイル対応テーブル記憶手段６３とＨＴＭＬファイル選出手段６４とＨＴＭＬファイル表示指示手段６１と操作入力処理手段７１とテレビ電話接続要求手段７２を有するシステム制御部、５５は相手先電話番号取得手段６５とテレビ電話映像デコード手段６６とテレビ電話接続処理手段７３を有するテレビ電話制御部、５２はＨＴＭＬファイル表示処理手段６２を有するブラウザ部、５４は映像合成出力手段６７を有する映像／音声入出力部である。映像／音声入出力部５４には、例えば、モニタ、マイク、カメラ、及びスピーカが接続される。また、５３はリモコン及びキーボードからの入力信号を受ける操作入力Ｉ／Ｆ部、５６は公衆電話回線やＩｎｔｅｇｒａｔｅｄ  Ｓｅｒｖｉｃｅｓ  Ｄｉｇｉｔａｌ  Ｎｅｔｗｏｒｋ（以後ＩＳＤＮと記す）及びケーブルテレビ網に接続される回線Ｉ／Ｆ部である。
【００４３】
ブラウザ部５２のＨＴＭＬファイル表示処理手段６２は、ＨＴＭＬファイルの記述内容に基づき、テキストや図を配置した画像を生成する。また、テレビ電話制御部５５のテレビ電話映像デコード手段６６では、回線から送られる圧縮された相手側の映像をデコード処理する。映像／音声入出力部５４における映像合成出力手段６７で上記ブラウザ部５２で生成された画像とテレビ電話制御部５５でデコード処理されたテレビ電話映像が合成され、例えば、ＮＴＳＣの信号として、本装置の外部に出力され、本装置に接続されたテレビモニタ等に表示される。ここでの合成とは、ＷＷＷブラウザの表示画像の一部の領域にテレビ電話映像が上書きされる処理を意味する。
【００４４】
電話番号／ＨＴＭＬファイル対応テーブル記憶手段６３に記憶される電話番号／ＨＴＭＬファイル対応テーブルは、図２に示すような内容が記述されたファイルであり、短縮番号によってソートされた電話番号とＨＴＭＬファイル名が一対一に対応されたテーブルである。図２において、２５１は電話番号、２５２はＨＴＭＬファイル名である。実施の形態１においては、このテーブルはファイルの形式としたが、単なるメモリ上のデータであってもよいし、また、対応づけの形態も、一対一対応ではなく複数の電話番号に一つのＨＴＭＬファイル名を対応させることも可能であることはいうまでもない。ここでいうＨＴＭＬファイル名とは、ＵＲＬを含む意味で記述している。実際に、電話番号に対して、如何なるＨＴＭＬファイルを対応づけるかは、運用の問題であるので、ここでは詳細に述べないが、例えば、Ａ社の電話番号とＡ社の会社概要が記述されたＨＴＭＬファイルを対応づける、個人Ｂさんの電話番号とＢさんが個人で開設しているＢさんのホームページのＨＴＭＬファイルを対応づける等の運用が考えられる。
【００４５】
次に、図１に基づいて、テレビ電話着信時に相手先の電話番号を基にしてＷＷＷブラウザの表示画像を変更する処理の手順を説明する。
【００４６】
テレビ電話を着信すると、相手先電話番号取得手段６５によって回線から通知される相手先電話番号を取得し、次に取得した相手先電話番号をシステム制御部５１に通知する。システム制御部５１では、ＨＴＭＬファイル選出手段６４が電話番号／ＨＴＭＬファイル対応テーブル記憶手段６３に記憶されたテーブルをもとにして、通知された相手先電話番号と対応づけられたＨＴＭＬファイルを選出する。例えば、取得された電話番号が『０７５１２３１２３４』とすると、図２に示したテーブルに従うと、最初に上記電話番号の短縮番号である『０１』が選出される。次に、短縮番号『０１』に対応したＨＴＭＬファイル名は『ｂｂ０１．ｈｔｍｌ』であると決定される。こうして決定されたＨＴＭＬファイル名をＨＴＭＬファイル表示指示手段６１からブラウザ部５２に通知する。ＨＴＭＬファイル表示処理手段６２は、通知されたＨＴＭＬファイル名から同名ファイルを開き、記述内容に基づいてテキストや図を配置した画像を生成する。
【００４７】
一方、テレビ電話映像は、テレビ電話制御部５５において、テレビ電話映像デコード手段６６が受信した圧縮された映像のデコード処理を行う。映像／音声入出力部５４では、映像合成出力手段６７によってブラウザ部５２から入力されるＷＷＷブラウザによる表示画像と、テレビ電話制御部５５から送られるテレビ電話映像を合成して出力する。
【００４８】
次に、テレビ電話着信時の画面表示の遷移を図３を用いて説明する。画面表示２０１はテレビ電話を着信する前の画面表示の例である。ここでは任意のＨＴＭＬファイルが表示された状態を示している。この状態でテレビ電話を着信すると、画面表示は画面表示２０２に変化する。すなわち、テレビ電話の着信を通知するダイアログ２１１が表示される。続いて利用者がテレビ電話を受けると、テレビ電話映像２１２が画面に表示されると共に、ＷＷＷブラウザによる画面表示が画面２０３のように変更される。ここでのＷＷＷブラウザによる表示内容は、予め設定された電話番号／ＨＴＭＬファイル対応テーブルに基づいて選出されたＨＴＭＬファイルに基づく表示であるため、テレビ電話通話相手と関連性のある有意な内容となる。本発明によらない装置の場合では、テレビ電話を受けた場合の画面表示は画面２０４のようになり、ＷＷＷブラウザによる表示内容はテレビ電話が着信する前のものと同一である。すなわち、テレビ電話映像とＷＷＷブラウザの表示内容はなんら関係のないものとなる。
【００４９】
次に、図１を用いて、テレビ電話発信時に相手先の電話番号をもとにＷＷＷブラウザの表示画像を変更する処理の手順を説明する。
【００５０】
利用者はテレビ電話を発信するために、例えば、赤外線リモコンを利用して、本装置に相手先電話番号の入力操作を行う。この場合、通話相手の電話番号を入力する場合と、登録されている短縮番号を入力する場合が考えられる。いずれの場合でも、赤外線リモコンによる入力は、操作入力Ｉ／Ｆ部５３が赤外線信号として受信し、受信信号からデータを抽出し、抽出したデータをシステム制御部５１に送る。
【００５１】
システム制御部５１では、操作入力処理手段７１がユーザがテレビ電話接続のための操作を行ったと判断して、テレビ電話接続要求手段７２を通して、テレビ電話制御部５５に対してテレビ電話接続を要求する。テレビ電話制御部５５はこの要求を受けると、テレビ電話接続処理手段７３によってテレビ電話の接続処理を行う。テレビ電話が接続されると、相手装置から回線を経てテレビ電話映像が受信され、テレビ電話映像デコード手段６６によってデコード処理された映像が映像／音声入出力部５４の映像合成出力手段に出力される。
【００５２】
一方、上記テレビ電話発信処理とほぼ同時に、システム制御部５１が表示を行うＨＴＭＬファイルの選出を行う。通話相手先電話番号が入力された場合は、入力された相手先の電話番号が操作入力処理手段７１からＨＴＭＬファイル選出手段６４に伝送され、電話番号／ＨＴＭＬファイル対応テーブル記憶手段６３に記憶されたテーブルを参照して、短縮番号を抽出する。次いで、抽出された短縮番号からＨＴＭＬファイル名を選出する。例えば、通話相手先電話番号が『０７５１２３７６５４』とすると、短縮番号『１１』が抽出され、表示するＨＴＭＬファイル名は『ｂｂ１１．ｈｔｍｌ』となる。
【００５３】
一方、短縮番号が入力された場合では、入力された短縮番号から表示を行うＨＴＭＬファイル名が決定される。例えば、入力された短縮番号が『０２』とすると、表示するＨＴＭＬファイル名は『ｂｂ０２．ｈｔｍｌ』となる。
【００５４】
上記選出処理によって、テレビ電話の着信、発信時それぞれにおいてテレビ電話の通話相手先に応じたＨＴＭＬファイルが選出される。このようにして選出したＨＴＭＬファイル名をＨＴＭＬファイル表示指示手段６１がブラウザ部５２に通知する。ブラウザ部５２においては、ＨＴＭＬファイル表示処理手段６２がこのＨＴＭＬファイルの記述内容に基づいてテキストや図を配置した画像を生成する。
【００５５】
続いて映像／音声入出力部５４では、映像合成出力手段６７がブラウザ部５２から入力されるＷＷＷブラウザによる表示画像と、テレビ電話制御部５５から送られるテレビ電話映像を合成し出力する。
【００５６】
実施の形態２．
図４はこの発明の実施の形態２であるテレビ電話装置の概略構成図である。以下、図４を用いて実施の形態２の構成を説明する。図４において、図１と同一符号のものは同一構成であるので、説明を省略する。５１は操作入力処理手段７１とテレビ電話映像表示設定確定手段８２とテレビ電話映像表示設定／ＨＴＭＬファイル対応テーブル記憶手段８１とテレビ電話映像表示設定変更指示手段８３を有するシステム制御部、５５はテレビ電話映像デコード手段６６を有するテレビ電話制御部、５２はＨＴＭＬファイル表示処理手段６２とブラウザ部操作入力処理手段８５とＨＴＭＬファイル読込み手段８４とＨＴＭＬファイル名通知手段８６を有するブラウザ部、５４は映像合成出力手段６７とテレビ電話映像表示サイズ及び位置変更手段８７を有する映像／音声入出力部である。
【００５７】
テレビ電話映像表示設定／ＨＴＭＬファイル対応テーブル記憶手段８１に記憶されるテレビ電話映像表示設定／ＨＴＭＬファイル対応テーブルは、ＨＴＭＬファイル名とテレビ電話映像表示設定が対応づけられたものである。ここでいうテレビ電話映像表示設定は、テレビ電話映像の表示位置及びサイズに関する設定を意味する。また、テレビ電話映像表示サイズ及び位置変更手段８７はメモリ上のデータ処理としてＷＷＷブラウザ表示画面に対して上書きを行うデータ領域を変更することによってテレビ電話映像の表示サイズ及び表示位置を変更するものである。
【００５８】
次に、図４を用いて、ＷＷＷブラウザの表示画像の更新に同期してテレビ電話映像の表示サイズ及び表示位置を変更する手段について説明する。
【００５９】
利用者がリモコン等を利用してＷＷＷブラウザの画面表示におけるリンク部を選択確定する操作を行うと、操作入力Ｉ／Ｆ部５３がその信号を受け取り、操作入力データをシステム制御部５１に送る。
【００６０】
システム制御部５１では、操作入力処理手段７１が前記操作入力がブラウザ操作に係わるものであると判定し、ブラウザ部操作入力処理手段８５に操作入力データを送る。ここで上記操作入力データがリンク部の選択確定を意味するものである場合、ブラウザ部５２では、ＨＴＭＬファイル読込み手段８４によってリンク先のＨＴＭＬファイルの読込みが行われ、次にＨＴＭＬファイル表示処理手段６２が、読込まれたＨＴＭＬファイルの記述内容に基づいてテキストや図を配置した画像を生成する。
【００６１】
また、上記表示処理と同時に、ＨＴＭＬファイル名通知手段８６はシステム制御部５１に対して、現在読込み処理をしているＨＴＭＬファイル名が通知する。システム制御部５１では、このファイル名とテレビ電話映像表示設定／ＨＴＭＬファイル対応テーブル記憶手段８１に記憶されたテーブルに基づいてテレビ電話映像表示設定確定手段８２によってテレビ電話映像表示の設定情報が確定される。次いで、テレビ電話映像表示設定変更指示手段８３がテレビ電話映像表示サイズ及び表示位置の変更情報を映像／音声入出力部５４のテレビ電話映像表示サイズ及び位置変更手段８７に送り、テレビ電話映像表示サイズ及び位置変更手段８７がテレビ電話映像の表示サイズ及び表示位置が変更される。このため、ＷＷＷブラウザの画面表示の更新に同期して、テレビ電話映像の表示位置及びサイズが変更可能となる。
【００６２】
実施の形態３．
図５はこの発明の実施の形態３であるテレビ電話装置の概略構成図である。以下、図５を用いて実施の形態３の構成を説明する。図５において、図１と同一符号のものは同一構成であるので、説明を省略する。５１は操作入力処理手段７１とリンク関係定義テーブル記憶手段９３とリンク関係定義テーブル変更手段９４とＨＴＭＬファイル名確定手段９５とＨＴＭＬファイル表示指示手段６１とを有するシステム制御部、５５はテレビ電話映像デコード手段６６を有するテレビ電話制御部、５２はＨＴＭＬファイル表示処理手段６２とブラウザ部操作入力処理手段８５とリンク部リンク先ファイル名処理手段９１とリンク先ファイル名通知手段９２を有するブラウザ部である。
【００６３】
リンク部リンク先ファイル名処理手段９１では、最初にリンク部のリンク先ファイル名をＨＴＭＬファイルの内容から抽出する。次いでこのリンク部のリンク先ファイル名の拡張子を判定し、予め決められた特定の拡張子の場合、本実施例では拡張子が『ｍｅ１』の場合、リンク先ファイル名通知手段９２に処理を移す。また、拡張子が、例えばＨＴＭＬファイルを意味する『ｈｔｍｌ』、『ｈｔｍ』の場合では、ＨＴＭＬファイル表示処理手段６２に処理を移行する。尚、リンク関係定義テーブル記憶手段９３に記憶されたテーブルは、拡張子『ｍｅ１』を有するファイル名と、ＨＴＭＬファイルを意味する拡張子『ｈｔｍｌ』、『ｈｔｍ』を有するファイル名を対応づけるテーブルであり、リンク関係定義テーブル変更手段９４はリンク関係定義テーブル記憶手段９３に記憶されたテーブルを変更する手段である。
【００６４】
次に、図５を用いてリンク関係定義テーブルを利用したリンク処理について説明する。利用者がリモコン等を利用してＷＷＷブラウザの画面表示におけるリンク部を選択確定する操作を行うと、操作入力Ｉ／Ｆ部５３が赤外線信号として受信し、受信信号から操作データを抽出し、抽出した操作データをシステム制御部５１に送る。
【００６５】
システム制御部５１では、操作入力処理手段７１が前記操作入力がブラウザ操作に係わるものであると判定し、ブラウザ部５２のブラウザ部操作入力処理手段８５に操作入力データを送る。この操作入力データがリンク部の選択確定を意味するものであると、ブラウザ部５２では、リンク部リンク先ファイル名処理手段９１が確定されたリンク部のリンク先ファイル名を抽出する。本実施例においては、このリンク先ファイル名が直接ＨＴＭＬファイルを指定していないことを示すために、リンク先ファイル名の拡張子に『ｍｅ１』を用いる。尚、通常のリンク先ファイル名はＨＴＭＬファイルであることを示す拡張子『ｈｔｍｌ』もしくは『ｈｔｍ』が用いられる。リンク部リンク先ファイル名処理手段９１では、抽出されたリンク先ファイル名が特別な拡張子『ｍｅ１』の場合にはＨＴＭＬファイル読込み処理を行わずに、リンク先ファイル名通知手段９２を通してシステム制御部５１のＨＴＭＬファイル名確定手段９５にこのファイル名を送る。ＨＴＭＬファイル名確定手段９５では、リンク関係定義テーブル記憶手段９３に記憶されたテーブルに基づいてリンク先のＨＴＭＬファイル名を確定する。次に、この確定したＨＴＭＬファイル名がＨＴＭＬファイル表示指示手段６１を通して、ブラウザ部５２に送られ、ＨＴＭＬファイル表示処理手段６２により表示処理が行われる。
【００６６】
また、上記説明ではリンク先ファイル名の拡張子に『ｍｅ１』を用いたが、この拡張子は『ｍｅ１』以外のものを任意に決定しても構わないことはいうまでもない。更に、複数の拡張子にそれぞれ異なる関連づけを行っても構わない。
【００６７】
実施の形態３においては、リンク関係定義テーブル変更手段９４を有するため、例えば、本装置が有する日時情報やＨＴＭＬファイルの表示履歴情報を基にして、リンク関係定義テーブル記憶手段９３に記憶されたテーブルを変更することが可能である。このテーブルの変更によってＨＴＭＬファイル内のリンク部と他のＨＴＭＬファイルとのリンク関係を変化させることができる。以下、その運用例を説明する。
【００６８】
例えば、本装置が有する日時情報に基づいてリンク関係定義テーブル９３を更新することにより、画面表示されているあるファイルで『カレンダー』という文字列をリンク部とした場合、利用者がこのリンク部を選択確定した時、現在の日時が９８年１１月であれば９８年１１月のカレンダー用ファイルを表示し、また９８年１２月であれば９８年１２月のカレンダー用ファイルを表示し、更に別の日時の場合であれば、日時に対応する別のＨＴＭＬファイルを表示するように運用するものである。
【００６９】
別の運用例として、ＨＴＭＬファイルの表示履歴情報に基づいてリンク関係定義テーブル９３を更新することにより、例えば、学習教材的なコンテンツにおいて、複数の演習問題用ファイルを有する場合、利用者が一度使用した演習問題のファイルはリンク関係定義テーブル９３から除外することにより、毎回異なる演習問題のページを表示するように運用することができる。
【００７０】
実施の形態４．
図６は実施の形態４におけるテレビ電話装置１０３とＷＷＷサーバ１０４を結ぶネットワークシステムのシステム構成図である。図中、１０１は公衆電話回線やＩＳＤＮ、ケーブルテレビ網等の高セキュリティ伝送路であるワイドエリアネットワーク（ＷＡＮ）、１０５はインターネットサービスプロバイダ（ＩＳＰ）、１０６はインターネット、１０４はテレビ電話装置１０３にデータを配信するサーバ、１０３は本発明のテレビ電話装置、１０２Ａ、１０２Ｂはネットワークに機器を接続するために通信インターフェースを変換するモデムやターミナルアダプタ及びデジタルサービスユニット（以下、ＤＳＵと記す）やケーブルモデム等のネットワークインターフェース機器である。
【００７１】
ここで、以下の実施例で用いる映像信号と音声信号とを多重化した伝送方式の一つであるマルチ・バイト・エクステンション（Ｍｕｌｔｉ  Ｂｙｔｅ  Ｅｘｔｅｎｓｉｏｎ、以下ＭＢＥと記す）の任意メッセージコマンドを図８を用いて説明する。ＭＢＥとは狭帯域ＩＳＤＮによるオーディオ・ビジュアル通信のためのマルチメディア多重の規定で、ＩＴＵ−Ｔ勧告Ｈ．２２１に記されており、ビット多重を基本としたものであり、６４０ビットを１フレーム７１０として伝送する多重化伝送方式である。図８においてサブチャネル＄８内の＃７２番ビットから＃１２８番ビットの８ビットにおいてＢＡＳ（Ｂｉｔ−ｒａｔｅ  Ａｌｌｏｃａｔｉｏｎ  Ｓｉｇｎａｌ）符号領域７１２が確保されており、この領域に任意のデータを割り当てることが可能である。また同図中のＦＡＳ（Ｆｒａｍｅ  Ａｌｉｇｎｍｅｎｔ  Ｓｉｇｎａｌ）７１１はフレーム同期に利用されるデータエリアである。
【００７２】
図７は、実施の形態４におけるテレビ電話装置の処理の流れを示す図である。以下、図６及び図７に基づき、サーバ１０４からの要求で、サーバ１０４とテレビ電話装置１０３がインターネット接続を行う手順について説明する。
【００７３】
最初に、サーバ１０４はＷＡＮ１０１を経由してテレビ電話装置１０３にＩＳＤＮ電話をかける。テレビ電話装置１０３はこれを受けて、テレビ電話着信処理Ｓ２６１を行う。回線が接続されると、サーバ１０４はＭＢＥのＢＡＳ領域７１２にコマンドフォーマット７２０に従い構成したデータを８ビット単位に分割したものを割り当て、任意メッセージコマンドを送信する。今回はコマンドフォーマット７２０のデータ部にインターネット接続を要求することを示すデータを入れる。
【００７４】
テレビ電話装置１０３は、サーバ１０４が送出したメッセージコマンドを受けると、ＭＢＥの任意メッセージコマンド解析処理Ｓ２６２を行い、次いで、この任意メッセージコマンドがインターネット接続要求を意味するものかどうかの判定処理Ｓ２６３を行う。このメッセージコマンドがインターネット接続要求を意味するものである場合、テレビ電話装置１０３はＷＡＮ１０１を経由してＩＳＰ１０５へダイアルアップＰＰＰ（ポイント・ツー・ポイント）接続処理Ｓ２６４を行う。この接続が成立することでサーバ１０４のインターネットへのアクセスが可能となる。その後、すでにインターネットへ接続しているサーバ１０４に対して、予めテレビ電話装置１０３に記憶されている接続先を示すデータであるＩＰアドレスかホスト名を使ってインターネット接続処理Ｓ２６５を行う。また、判定処理Ｓ２６３においてインターネット接続要求を意味しないと判定した場合は、一連の処理を終了する。
【００７５】
尚、ここでいうＩＰアドレスとは、異なるネットワーク上のコンピュータ同士が複数のコンピュータを経由して通信するために用いるコンピュータ指定のためのアドレスのことであり、１１１．２２２．３．４のように数字で表現される。また、このアドレスを、ａｂｃｄｅ．ｃｏ．ｊｐのように文字で表現したものがホスト名である。
【００７６】
テレビ電話装置１０３がサーバ１０４にインターネット接続された状態では、両者間でインターネット通信が可能となる。本実施の形態４のテレビ電話装置１０３では、テレビ電話装置１０３からのインターネット接続要求を受けてインターネット接続することが可能であるため、必要な任意のタイミングでサーバ１０４とテレビ電話装置１０３との間でインターネット通信を行える。
【００７７】
実施の形態５．
図９は実施の形態５におけるテレビ電話装置１０３とＷＷＷサーバ１０４Ａ、１０４Ｂを結ぶネットワークシステムのシステム構成図である。実施の形態４を示す図６と相当部分は同一の符号を付してその説明を省略する。図９において、１０２Ｃはネットワークに機器を接続するために通信インターフェースを変換するモデムやターミナルアダプタ及びＤＳＵやケーブルモデム等のネットワークインターフェース機器、１０４Ｂはテレビ電話装置１０３にデータを配信するサーバである。
【００７８】
また、図１０は実施の形態５におけるテレビ電話装置１０３の処理の流れを示す図である。以下図９及び図１０に基づいて、サーバ１０４Ａからの要求でサーバ１０４Ｂとテレビ電話装置１０３がインターネット接続を行う手順について説明する。
【００７９】
最初に、サーバ１０４ＡはＷＡＮ１０１を経由してテレビ電話装置１０３にＩＳＤＮ電話をかける。テレビ電話装置１０３はこれを受けると、テレビ電話着信処理Ｓ２７１を行う。回線が接続されると、サーバ１０４ＡはＭＢＥの任意メッセージコマンドを送信する。今回は図８に示すコマンドフォーマット７２０のデータ部にインターネット接続を要求することを示すデータに加えて、接続先を示すデータであるＩＰアドレスかホスト名を入れる。テレビ電話装置１０３はこのＭＢＥを受けるとメッセージコマンドの解析処理Ｓ２７２を行う。
【００８０】
続いて、テレビ電話装置１０３は、この任意メッセージコマンドがインターネット接続を意味するものか否かの判定処理Ｓ２７３を行う。この判定処理Ｓ２７３においてインターネット接続要求であると判定されると、受信したメッセージコマンドから接続すべきサーバ装置のＩＰアドレスの抽出処理Ｓ２７４を行う。抽出処理が終了すると、テレビ電話装置１０３はＷＡＮ１０１を経由してＩＳＰ１０５へダイアルアップＰＰＰ（ポイント・ツー・ポイント）接続を行う。この接続が成立することでサーバ１０４Ａのインターネットへのアクセスが可能となる。その後、すでにインターネットへ接続しているサーバ１０４Ｂに、ＭＢＥの任意メッセージコマンドからＩＰアドレス抽出処理２７４にて取得したＩＰアドレスかホスト名を使ってインターネット接続を行う。また、判定処理Ｓ２７３においてインターネット接続要求を意味しないと判定した場合は、一連の処理を終了する。
【００８１】
実施の形態６．
図６に示したシステム構成図において、図１１に示すフローチャートに従って処理を行うことでも、テレビ電話装置１０３がインターネット接続を行うことができる。図１１は実施の形態６におけるテレビ電話装置１０３の処理の流れを示す図である。以下、図６及び図１１に基づき、サーバ１０４からの要求で、サーバ１０４とテレビ電話装置１０３がインターネット接続を行う手順について説明する。
【００８２】
最初に、サーバ１０４はＷＡＮ１０１を経由してテレビ電話装置１０３にＩＳＤＮ電話をかける。これを受けてテレビ電話装置１０３は着信処理Ｓ２８１を行い、次いで、呼出元の電話番号を相手先電話番号取得処理Ｓ２８２によって取得する。続いて、判断処理Ｓ２８３において、取得した電話番号と予めテレビ電話装置１０３に記憶されているサーバ１０４の電話番号とを照合し、一致すれば今回の呼出はインターネット接続要求であると判断する。その後、テレビ電話装置１０３はＷＡＮ１０１を経由してＩＳＰ１０５へダイアルアップＰＰＰ（ポイント・ツー・ポイント）接続処理Ｓ２８４を行う。この接続が成立することでサーバ１０４のインターネットへのアクセスが可能となる。更に、すでにインターネットへ接続しているサーバ１０４に対して、予めテレビ電話装置１０３に記憶されている接続先を示すデータであるＩＰアドレスかホスト名を使ってインターネット接続処理２８５を行う。また、判断処理Ｓ２８３においてインターネット接続要求を意味しないと判断した場合は、一連の処理を終了する。
【００８３】
実施の形態７．
図９に示したシステム構成図において、図１２に示すフローチャートに従って処理を行うことでも、テレビ電話装置１０３がインターネット接続を行うことができる。図１２は実施の形態７のテレビ電話装置１０３の処理の流れを示す図である。以下、図９と図１２に基づいて、サーバ１０４Ａからの要求でサーバ１０４Ｂとテレビ電話装置１０３がインターネット接続を行う手順について説明する。
【００８４】
最初に、サーバ１０４ＡはＷＡＮ１０１を経由してテレビ電話装置１０３にＩＳＤＮ電話をかける。このとき、サーバ１０４Ａは通常の電話番号に加えてサブアドレスを指定する。テレビ電話装置１０３はこれを受けて、テレビ電話着信処理Ｓ２９１を行う。次にサブアドレス通知取得処理Ｓ２９２を行い、サブアドレスを取得する。更に、相手先電話番号取得処理Ｓ２９３を行い、相手先の電話番号を取得する。続いてテレビ電話装置１０３は、取得した電話番号とサブアドレスを用いて、このテレビ電話接続がインターネット接続を要求するものかどうかの判定処理Ｓ２９４を行う。インターネット接続を要求するものであると判定すると、取得した相手先電話番号とサブアドレスを基にして、インターネット接続すべき相手装置のＩＰアドレスの確定処理Ｓ２９５を行う。ここでは、予めテレビ電話装置１０３に記憶されている相手装置電話番号／サブアドレス／サーバ装置ＩＰアドレステーブルを利用する。その後、ＷＡＮ１０１を経由してＩＳＰ１０５へダイアルアップＰＰＰ（ポイント・ツー・ポイント）接続処理Ｓ２９６を行う。この接続が成立することでサーバ１０４Ａのインターネットへのアクセスが可能となる。続いて、すでにインターネットへ接続しているサーバ１０４Ｂに対して取得したＩＰアドレスかホスト名を使ってインターネット接続処理Ｓ２９７を行う。また、判定処理Ｓ２９４においてインターネット接続要求を意味しないと判定した場合は、一連の処理を終了する。
【００８５】
次に、具体的な動作についての説明をする。図１３は相手装置電話番号／サブアドレス／サーバ装置ＩＰアドレス対応テーブルの一例を示した図である。Ｓ２９３において取得した相手装置の電話番号が『０７５１２３９９９９』で、通知されたサブアドレスが『９９』である場合、インターネット接続要求か否かの判定処理Ｓ２９４は、図１３に示すテーブルによってインターネット接続先ＩＰアドレスを参照する。この電話番号とサブアドレスの対は、図１３に示すようにテーブル上に定義されているため、インターネット接続要求であると判定され、次に、サーバ装置ＩＰアドレス確定処理Ｓ２９５により、このテーブルに基づいてインターネット接続する相手装置のＩＰアドレスが『２２２．１１１．３３．５１』であることが確定する。
【００８６】
また、別の例として、Ｓ２９３において取得した相手装置の電話番号が『０７５１２３１２３４』で、通知されたサブアドレスが『０２』の場合では、インターネット接続要求か否かの判定処理Ｓ２９４により、この電話番号とサブアドレスの対は、相手装置電話番号／サブアドレス／サーバ装置ＩＰアドレス対応テーブルに定義されているため、インターネット接続要求であると判定され、次いでサーバ装置ＩＰアドレス確定処理Ｓ２９５において、インターネット接続する相手装置のＩＰアドレスが、『２２２．１１１．３３．０２』であることが確定する。
【００８７】
また、更に別の例として、Ｓ２９３において取得した相手装置の電話番号が『０６１１１２２２２』で、通知されたサブアドレスが『５５』の場合では、インターネット接続要求か否かの判定処理Ｓ２９４によって手装置電話番号／サブアドレス／サーバ装置ＩＰアドレス対応テーブルを参照して、この電話番号とサブアドレスの対は相手装置電話番号／サブアドレス／サーバ装置ＩＰアドレス対応テーブルに定義されていないため、インターネット接続要求ではないと判定され、ダイアルアップＰＰＰ接続処理は行わない。
【００８８】
【発明の効果】
この発明は、以上説明したように構成されているので、以下に示すような効果を奏する。
【００８９】
テレビ電話着信時に通話相手先電話番号を取得し、通話相手先電話番号に対応した短縮番号をテーブルから抽出し、テレビ電話の背景画像として表示を行うＨＴＭＬファイル名を作成するため、少ない手順でＨＴＭＬファイル名を決定することができ、テレビ電話の通話相手に応じてＷＷＷブラウザの表示内容を変更することが可能となり、テレビ電話通話中のＷＷＷブラウザによる画面表示を有意なものにし得るという効果がある。
【００９０】
また、テレビ電話発信時に入力した通話相手先電話番号に対応した短縮番号をテーブルから抽出し、テレビ電話の背景画像として表示を行うＨＴＭＬファイル名を作成するため、少ない手順でＨＴＭＬファイル名を決定することができ、テレビ電話の通話相手に応じてＷＷＷブラウザの表示内容を変更することが可能となり、テレビ電話通話中のＷＷＷブラウザによる画面表示を有意なものにし得るという効果がある。
【図面の簡単な説明】
【図１】  この発明の実施の形態１の構成図である。
【図２】  この発明の実施の形態１の電話番号／ＨＴＭＬ対応テーブルの例を示す図である。
【図３】  この発明の実施の形態１の画面遷移図である。
【図４】  この発明の実施の形態２の構成図である。
【図５】  この発明の実施の形態３の構成図である。
【図６】  この発明の実施の形態４及び６のネットワーク構成図である。
【図７】  この発明の実施の形態４の処理フローを示す図である。
【図８】  この発明の実施の形態４及び５のＭＢＥのフォーマット説明図である。
【図９】  この発明の実施の形態５及び７のネットワーク構成図である。
【図１０】  この発明の実施の形態５の処理フローを示す図である。
【図１１】  この発明の実施の形態６の処理フローを示す図である。
【図１２】  この発明の実施の形態７の処理フローを示す図である。
【図１３】  この発明の実施の形態７における相手装置電話番号／サブアドレス／サーバ装置ＩＰアドレス対応テーブルの例を示す図である。
【図１４】  従来の発明の構成図である。
【図１５】  従来の発明の処理フローを示す図である。
【図１６】  従来の発明の画面表示例である。
【符号の説明】
５１システム制御部、５２ブラウザ部、５４映像／音声入出力部、５５テレビ電話制御部、６３電話番号／ＨＴＭＬファイル対応テーブル記憶手段、６４ＨＴＭＬファイル選出手段、６５相手先電話番号取得手段
【図１】
0004288735.tif 000002
【図２】
0004288735.tif 000003
【図３】
0004288735.tif 000004
【図４】
0004288735.tif 000005
【図５】
0004288735.tif 000006
【図６】
0004288735.tif 000007
【図７】
0004288735.tif 000008
【図８】
0004288735.tif 000009
【図９】
0004288735.tif 000010
【図１０】
0004288735.tif 000011
【図１１】
0004288735.tif 000012
【図１２】
0004288735.tif 000013
【図１３】
0004288735.tif 000014
【図１４】
0004288735.tif 000015
【図１５】
0004288735.tif 000016
【図１６】
0004288735.tif 000017